(57)【要約】【課題】粒状物が過剰に出てくることを防止して、所定量の粒状物のみを取り出すことが可能な粒状物収納容器を提供する。【解決手段】底壁２０及び側壁２１を有する容器本体２と、該容器本体２との間に粒状物５を収納する収納空間４を形成するカバー３とを備えた粒状物収納容器１であって、容器本体２又はカバー３は、ヒンジ部２３を介して一体に設けられた蓋部２４を有し、容器本体２又はカバー３はその内面から立設し、収納空間４から該開口部２２への粒状物５の通路２８を区画形成する弾性変形可能な可変体２７を有し、蓋部２４の内側には、所定量保持部２５が設けられ、可変体２７は、該蓋部２４を閉じた際に、蓋部２４の内面から突出する当接部２６の当接により弾性変形して通路２８を拡大させ、収納空間４から所定量保持部２５まで粒状物５を通過可能とし、該蓋部２４を開いた際に、当接部２６の当接が解除されて形状が復元し、通路２８を狭めて粒状物５を通過不能とする。【選択図】図１
2015209265.tif 000002
【特許請求の範囲】
【請求項１】
底壁及び該底壁の周縁部から立設する側壁を有する容器本体と、該側壁の上端を覆うように該容器本体に固定されて、該容器本体との間に粒状物を収納する収納空間を形成するカバーとを備えた粒状物収納容器であって、
前記容器本体又は前記カバーは、ヒンジ部を介して一体に設けられ、前記収納空間に連通する開口部を開閉可能な蓋部を有し、
前記容器本体又は前記カバーは、その内面から立設し、前記収納空間から該開口部への粒状物の通路を区画形成する弾性変形可能な可変体を有し、
前記蓋部の内側には、所定量の粒状物のみを収納する所定量保持部が設けられ、
前記可変体は、該蓋部を閉じた際に、該蓋部の内面から突出する当接部の当接により弾性変形して前記通路を拡大させ、前記収納空間から前記所定量保持部まで粒状物を通過可能とし、
該蓋部を開いた際に、前記当接部の当接が解除されて形状が復元し、前記通路を狭めて粒状物を通過不能とすることを特徴とする粒状物収納容器。
【請求項２】
前記開口部は、平面視で略四角形状に形成された粒状物収納容器の一角部に形成され、
前記開口部の両側に、一対の前記可変体を設けてなる、請求項１に記載の粒状物収納容器。
【発明の詳細な説明】
【技術分野】
【０００１】
本発明は、粒状の菓子、薬剤、栄養剤、及び美容剤等の粒状物を収納し、簡単な操作で所定量のみを取り出すことが可能な粒状物収納容器に関する。
【背景技術】
【０００２】
従来、所定量の粒状物を取り出すことができる粒状物収納容器として、例えば、特許文献１の容器が知られている。この容器は、粒状物を収納する収納凹部と、当該収納凹部に連通する計量凹部とを有し、蓋（開閉部）を閉じた状態で容器を傾けて計量凹部内に所定量の粒状物を導入させ、次いで、蓋を開いて容器を反転させることにより、計量された粒状物を取り出すことができるものである。
【先行技術文献】
【特許文献】
【０００３】
【特許文献１】特開２００４−１８０７２６号公報
【発明の概要】
【発明が解決しようとする課題】
【０００４】
しかしながら、上記特許文献１の容器は、収納凹部と計量凹部とが常に連通した状態にあるため、蓋を開けたまま容器を傾けると、収納凹部内の粒状物が計量凹部を通過して、過剰に出てきてしまう虞がある。
【０００５】
それゆえ、本発明は、粒状物が過剰に出てくることを防止して、所定量の粒状物のみを取り出すことが可能な粒状物収納容器を提供することを目的とする。
【課題を解決するための手段】
【０００６】
上記課題を解決するため、本発明に係る粒状物収納容器は、底壁及び該底壁の周縁部から立設する側壁を有する容器本体と、該側壁の上端を覆うように該容器本体に固定されて、該容器本体との間に粒状物を収納する収納空間を形成するカバーとを備えた粒状物収納容器であって、
前記容器本体又は前記カバーは、ヒンジ部を介して一体に設けられ、前記収納空間に連通する開口部を開閉可能な蓋部を有し、
前記容器本体又は前記カバーは、その内面から立設し、前記収納空間から該開口部への粒状物の通路を区画形成する弾性変形可能な可変体を有し、
前記蓋部の内側には、所定量の粒状物のみを収納する所定量保持部が設けられ、
前記可変体は、該蓋部を閉じた際に、該蓋部の内面から突出する当接部の当接により弾性変形して前記通路を拡大させ、前記収納空間から前記所定量保持部まで粒状物を通過可能とし、
該蓋部を開いた際に、前記当接部の当接が解除されて形状が復元し、前記通路を狭めて粒状物を通過不能とすることを特徴とする。
【０００７】
また、本発明の粒状物収納容器にあっては、前記開口部は、平面視で略四角形状に形成された粒状物収納容器の一角部に形成され、前記開口部の両側に、一対の前記可変体を設けてなることが好ましい。
【発明の効果】
【０００８】
本発明によれば、粒状物が過剰に出てくることを防止して、所定量の粒状物のみを取り出すことが可能な粒状物収納容器を提供することができる。
【図面の簡単な説明】
【０００９】
【図１】（ａ）は、本発明に従う粒状物収納容器の一実施形態における側面側から見た断面図であり、（ｂ）は図１（ａ）に示す粒状物収納容器の、Ａ−Ａ線における部分断面図である。
【図２】（ａ）は、図１（ａ）の粒状物収納容器の蓋部を開く前の状態を表した部分断面図であり、（ｂ）は蓋部を開いた状態を表した図である。
【発明を実施するための形態】
【００１０】
以下、図面を参照して、本発明の粒状物収納容器について説明する。図１（ａ）、（ｂ）に示す本発明の一実施形態である粒状物収納容器（以下、単に「容器」ともいう。）１は、容器本体２と、容器本体２に嵌合固定されたカバー３との間に形成される収納空間４に、粒状物５を収納している。なお、本実施形態の粒状物５は略円板状であるが、これに限定されるものではなく、多角柱状や球状等、様々な形状とすることが可能である。
【００１１】
容器本体２は、角部が湾曲した略四角形（長方形）状の底壁２０と、底壁２０の周縁部から立設する側壁２１とを有する。側壁２１の上端には、段差部２１ａが形成されており、当該段差部２１ａにカバー３の天壁３０の周縁部から垂下する側壁３１の下端が外側から嵌り込んでいる。
【００１２】
ここで、図１（ｂ）は、容器本体２の部分断面図である。容器１の一角部には収納空間４に連通する開口部２２が形成されている。当該開口部２２は、図２（ａ）に示すように、容器本体２にヒンジ部２３を介して一体に設けられた蓋部２４によって開閉可能な構成となっている。なお、本実施形態では、容器１の形状を平面視で略四角形状としているが、これに限定されず、他の多角形状、又は楕円形状等の任意の形状とすることができる。また、開口部２２の位置も、上記の一角部に限定されず、任意の位置に設けることができる。
【００１３】
蓋部２４の内側には、所定量の粒状物５のみを収納する所定量保持部２５が設けられている。なお、本実施形態において所定量保持部２５は、蓋部２４の内面から突出する一対の当接部２６によって区画形成され、一個の粒状物５のみを収納可能な大きさに構成されているが、これに限られるものではなく、複数の粒状物５を収納可能な構成とすることも可能である。
【００１４】
また、容器本体２は、開口部２２の両側の側壁２１内面から立設する一対の可変体２７を有する。可変体２７は、湾曲した薄い板状に形成され、弾性変形可能とされている。また可変体２７は、収納空間４から開口部２２への粒状物５の通路２８を区画形成している。ここで図１（ｂ）には、蓋部２４を閉じた状態における可変体２７を実線で、蓋部２４を開いた状態における可変体２７を仮想線（二点鎖線）で示している。蓋部２４を閉じた状態では、蓋部２４に設けられた一対の当接部２６の先端がそれぞれ可変体２７に当接し、可変体２７は、通路２８が拡大する方向に弾性変形する。これにより、粒状物５は通路２８を通過可能となり、容器１を傾けることで、収納空間４内の粒状物５を、所定量保持部２５に収納することができる。また、蓋部２４を開いた際には、当接部２６の当接が解除されるため、可変体２７は図示のように復元し、通路２８が狭まる。これにより、蓋部２４を開いた際には、粒状物５が通路２８を通過不能となる。したがって、粒状物５を取り出す際には、収納空間４内の粒状物５が開口部２２から出てくることがない。なお、蓋部２４を閉じた際に粒状物５を通過可能とし、蓋部２４を開いた際に粒状物５を通過不能とするものであれば、可変体２７及び当接部２６の位置、形状、個数等は特に限定されず、例えば、可変体２７を側壁２１の内面に一つだけ設ける構成とすることも可能である。
【００１５】
また、容器本体２は、底壁２０から立設する複数の嵌合円筒部２９を有し、カバー３の天壁３０から垂下する内筒部３２が、嵌合円筒部２９の内側に嵌合することで、カバー３が容器本体２に固定される。また、容器本体２又はカバー３が撓んだ場合でも収納空間４内部の高さを確保して粒状物５が収納空間４内を移動できるように、天壁３０の中央には、支持筒３３が設けられている。なお、本実施形態において収納空間４の高さは、粒状物５の厚みよりも僅かに大きい高さに設定し、粒状物５が上下に重ならないよう構成している。
【００１６】
以下、図２（ａ）、（ｂ）を参照しつつ、上記の構成を有する粒状物収納容器１の使用方法について説明する。容器１から粒状物５を取出す際には、先ず、蓋部２４を閉めた状態で、蓋部２４が下側となるように容器１を傾ける。上述のように、蓋部２４を閉めた状態では、通路２８を粒状物５が通過可能となっているため、所定量保持部２５に粒状物５を収納させることができる。次いで、ヒンジ部２３を支点として、図２（ａ）の矢印の向きに蓋部２４を開くことで、図２（ｂ）に示すように、所定量保持部２５内の粒状物５を取出すことができる。この時、可変体２７の復元により通路２８が狭まるため、収納空間４内の粒状物５が過剰に出てくることはなく、所定量のみを取出すことができる。
【００１７】
以上のように、本実施形態の粒状物収納容器１によれば、蓋部２４を開いた際に粒状物５の通過を規制する可変体２７を設けたことにより、粒状物５が過剰に出てくることを防止し、所定量の粒状物５のみを取出すことが可能となる。
【００１８】
また、本実施形態の粒状物収納容器１にあっては、開口部２２を略四角形状の容器１の一角部に設けたことにより、当該角部が下側となるように容器１を傾ける操作のみで、容易に所定量保持部２５に粒状物５を収納することができる。そのため、高い確率で、一回の操作で所定量の粒状物５を取出すことできる。
【００１９】
また、本実施形態の粒状物収納容器１は、容器本体２及びカバー３の２部品のみからなり、構造も複雑ではないため成形が容易である。また、組み立てについても、容器本体２に粒状物５を充填し、カバー３を上方から嵌め込んだ後、蓋部２４を閉めるだけの操作で組み立てることができ、作業が容易である。
【００２０】
本発明に従う粒状物収納容器は、上述した実施形態に限定されるものではなく、特許請求の範囲に従う範囲で種々の変更が可能である。例えば、上記の実施形態では、平面視で略四角形状の容器１の一角部に開口部２２を設ける構成としたが、これに限定されず、楕円形状の容器の先端中央位置に開口部を形成し、ヒンジ部を介して設けた蓋部で当該開口部を開閉する構成としてもよい。また、上記の実施形態では蓋部２４及び可変体２７を容器本体２に一体に設ける構成としたが、蓋部２４及び可変体２７の両方又は何れか一方をカバー３に一体に設ける構成としてもよい。また、ヒンジ部２３を側壁２１の外面に設け、側壁２１側に蓋部２４を回動させる構成としてもよい。
【符号の説明】
【００２１】
１  粒状物収納容器
２  容器本体
３  カバー
４  収納空間
５  粒状物
２０  底壁
２１  側壁
２２  開口部
２３  ヒンジ部
２４  蓋部
２５  所定量保持部
２６  当接部
２７  可変体
２８  通路
２９  嵌合円筒部
３０  天壁
３１  側壁
３２  内筒部
３３  支持筒
【図１】
2015209265.tif 000003
【図２】
2015209265.tif 000004